(57)【要約】【課題】ネクタイに携帯情報端末装置やカード等を保持する保持部材を設けることで、これらの持ち運びを容易にする。【解決手段】ネクタイ１には保持部材２が設けられており、該保持部材２に、ＩＤカードや携帯電話等の小物３を吊り下げることができる。また、ネクタイ１の裏側には、ポケット５が設けられており、このポケット５にこれら小物３が収納されるようになっている。【選択図】        図１
2004169190.tif 000002
【特許請求の範囲】
【請求項１】
ネクタイの表面から裏面に貫通する軸体部と、該軸体部の両端を形成し、該ネクタイの表面と裏面のそれぞれに表出する鍔状部とから成り、前記軸体部に物品のストラップが掛けられ該物品をネクタイに保持することのできる保持部材を有することを特徴とするネクタイ。
【請求項２】
請求項１に記載のネクタイにおいて、前記鍔状部の表面側に装飾が施されていることを特徴とするネクタイ。
【請求項３】
請求項１または２に記載のネクタイにおいて、前記保持部材に、前記ネクタイの表側から裏側に貫通する貫通孔が設けられていることを特徴とするネクタイ。
【請求項４】
請求項３に記載のネクタイにおいて、前記貫通孔は、先端に装飾を施したピンが前記ネクタイの表面側から前記貫通孔を通して挿通され、固定されるものであることを特徴とするネクタイ。
【請求項５】
請求項１乃至４のいずれかに記載のネクタイにおいて、前記ネクタイの裏面に物品を収納可能なポケットを有することを特徴とするネクタイ。
【請求項６】
請求項５に記載のネクタイにおいて、前記保持部材は、前記ポケットの上方に該ポケットに重なるように形成され、前記ポケットの上方を前記ピンで止めるようにしたことを特徴とするネクタイ。
【請求項７】
請求項５に記載のネクタイにおいて、前記ポケットの上部に延長片を有し、前記保持部材は、前記延長片の上部に重なるように形成され、前記延長片の上部を前記ピンで止めるようにしたことを特徴とするネクタイ。
【発明の詳細な説明】
【０００１】
【発明の属する技術分野】
本発明は、ネクタイに関し、より詳細には、携帯電話やＩＤカード等を吊り下げ、或いは収納することができるネクタイに関する。
【０００２】
【従来の技術】
近年、ＩＣ技術の発達に伴い、例えば、携帯電話等の携帯情報処理装置やＩＤカード等のカード類を携帯することが多い。これら携帯電話やＩＤカード等は、通常は、鞄や背広のポケット等に入れて持ち運んでいるが、例えば、オフィス等においては、セキュリティの関係上、ＩＤカード等にて身分確認をしてからでないと部屋に入れないケースが多くなっている。
【０００３】
【発明が解決しようとする課題】
しかし、オフィス内においては、鞄を持ち運んだり、背広を着て仕事をしていることは少なく、その持ち運びが非常に不便で、ＩＤカードを持っていくのを忘れたり、持っていったＩＤカードを置き忘れたりすることが多い。
【０００４】
本発明は、上述のごとき実情に鑑みてなされたもので、特に、携帯電話やＩＤカード等の小物の携帯物を吊り下げて、或いは収納して携帯することができるようにしたネクタイを提供することを目的としてなされたものである。
【０００５】
【課題を解決するための手段】
請求項１の発明は、ネクタイの表面から裏面に貫通する軸体部と、該軸体部の両端を形成し、該ネクタイの表面と裏面のそれぞれに表出する鍔状部とから成り、前記軸体部に物品のストラップが掛けられ該物品をネクタイに保持することのできる保持部材を有することを特徴としたものである。
【０００６】
請求項２の発明は、請求項１の発明において、前記鍔状部の表面側に装飾が施されていることを特徴としたものである。
【０００７】
請求項３の発明は、請求項１または２の発明において、前記保持部材に、前記ネクタイの表側から裏側に貫通する貫通孔が設けられていることを特徴としたものである。
【０００８】
請求項４の発明は、請求項３の発明において、前記貫通孔は、先端に装飾を施したピンが前記ネクタイの表面側から前記貫通孔を通して挿通され、固定されるものであることを特徴としたものである。
【０００９】
請求項５の発明は、請求項１乃至４の発明において、前記ネクタイの裏面に物品を収納可能なポケットを有することを特徴としたものである。
【００１０】
請求項６の発明は、請求項５の発明において、前記保持部材は、前記ポケットの上方に該ポケットに重なるように形成され、前記ポケットの上方を前記ピンで止めるようにしたことを特徴としたものである。
【００１１】
請求項７の発明は、請求項５の発明において、前記ポケットの上部に延長片を有し、前記保持部材は、前記延長片の上部に重なるように形成され、前記延長片の上部を前記ピンで止めるようにしたことを特徴としたものである。
【００１２】
【発明の実施の形態】
図１は、本発明に係るネクタイの一使用例を示す要部概略図で、図１（Ａ）は、ネクタイの大剣部を表面から見た時の要部概略図、図１（Ｂ）は、裏側から見た時の要部概略図、図１（Ｃ）は、図１（Ａ），（Ｂ）に示したネクタイ１の断面図である。ネクタイ１の、例えば、大剣部には、本発明による保持部材２が設けられている。この保持部材２は、図１（Ｃ）に示すように、ネクタイを貫通する軸体部２ａと該軸体部２ａの両端を形成する、ネクタイ１の表面側の鍔状部２ｂとネクタイ裏面側の鍔状部２ｃとよりなる。すなわち、保持部材２の軸体部２ａにＩＤカード３等のストラップ４を掛けてネクタイ１にＩＤカード３等の携帯物を保持することができるようになっている。
【００１３】
なお、図１では、鍔状部２ｂ，２ｃを鍔状（円盤状）のものとしているが、これら鍔状部２ｂ，２ｃの形状は、図示例のものに限定されるものではなく、前記軸体部２ａがネクタイ１から抜け落ちないような大きさ、形状のものなら何でもよく、更には、ネクタイ表面側の鍔状部２ｂに装飾を施したり、形状を工夫する等して審美性を持たせるようにしてもよい。また、図示例の場合、ＩＤカード３は、ネクタイ１の裏側に吊り下げられているが表面側に吊り下げるようにしてもよい。更には、ネクタイ１の裏側にポケット５を設け、前述のごとくして吊り下げたＩＤカードや携帯電話等の携帯物３を収納するようにすることにより、これら携帯物３の振れを防止し、更には、紛失を防止することができる。
【００１４】
図２は、本発明に係るネクタイの他の例を示す要部概略図で、図２（Ａ）は、ネクタイの大剣部を表面から見た時の概略図、図２（Ｂ）は、図２（Ａ）に示したネクタイの断面図である。図１に示したネクタイと同様に、ネクタイ１の大剣部には保持部材２が設けられているが、この保持部材２は、ネクタイを貫通する軸体部２ａに、貫通孔２ｄを設けた鳩目構造となっている。この貫通孔２ｄには、先端部に装飾が施されているピン６を挿通し、挿通した先端を固定具６ａで固定し、これにより、ネクタイ１をＹシャツ等に固定できるようにし、更には、装飾ピンを取り替えて使用することにより使用者の好みに合った装飾ができるようになっている。
【００１５】
例えば、先端に真珠等が取り付けられたピン６が前記貫通孔２ｄを通して挿通され、その挿入先端が固定具６ａで固定され、該ピン６が保持部材２からが抜け落ちないように着脱自在に固定されるようになっている。このように鍔状部２ｂを鳩目構造とすることにより、ピン６に装飾性を持たせることができ、鍔状部２ｂの製作が容易になり、ネクタイの製造を容易に、かつ安価にすることができる。
【００１６】
図３は、本発明に係るネクタイの更に他の例を示す要部概略図で、図３（Ａ）は、ネクタイの大剣部を裏面から見た時の概略図、図３（Ｂ）は、図３（Ａ）に示したネクタイの断面図である。このネクタイは、図１及び図２に示したネクタイと同様に、ネクタイ１の大剣部には保持部材２が設けられ、該保持部材２はネクタイを貫通する軸体部２ａとその両端を形成する、ネクタイ１の表面側の鍔状部２ｂとネクタイ裏面側の鍔状部２ｃとよりなり、保持部材２の軸体部２ａにＩＤカード３等のストラップ４を掛けてネクタイ１にＩＤカード等３を吊り下げることができるようになっている。
【００１７】
而して、本実施例においても、ネクタイ１の裏面にポケット５が設けられており、該ポケット５に、前述のように、携帯電話，ＩＤカード等の携帯物３を収納するようになっているが、本実施例においては、ポケット５の上端部をピン６及び固定具６ａにより閉鎖するようにし、これらポケット５に収納した携帯物３を紛失しないようにしている。なお、ポケット５は、例えば、図３に示したように、必ずしも、ポケット自体の上端部をピン６で閉鎖するように構成する必要はなく、例えば、図４（Ａ）に示すようにポケット５の上端から上方に延長する延長片５ａを設け、該延長片５ａの上端部をピン６で止めるようにして、ポケット５から該ポケット５に入れた物が抜け落ちないようにしてもよいし、図４（Ｂ）に示すように、ポケット５の上端部にループ状の紐５ｂを設けておき、この紐５ｂを保持部材２の軸２ａに引っ掛けるようにして、ポケット５の上部開口を閉じるようにしてもよい。
【００１８】
【発明の効果】
請求項１の発明によると、ネクタイに携帯電話やＩＤカード等の小物を吊り下げることができるようにしたので、これら小物の持ち運びが容易で、かつ、これら小物を紛失することのないようにした実用性の有るネクタイを提供することができる。
【００１９】
請求項２の発明によると、保持部材に装飾性を持たせたので、ネクタイに本来必要とされるデザイン性，審美性を付加することができる。
【００２０】
請求項３、４の発明によると、保持部材に貫通孔を設け、この貫通孔に装飾を施したピンを挿通可能とし、該ピンをネクタイピンとして使用可能とし、使用者の好みに合ったデザイン性を持たせ使用を可能としたネクタイを提供できる。
【００２１】
請求項５の発明によると、ネクタイから吊り下げた物品を該ネクタイに設けたポケットに収納することができるようにしたので、該物品をネクタイに安定して保持することができ、しかも、紛失を防止することができる。
【００２２】
請求項６，７の発明によると、ポケットを閉鎖することができるので、ポケットに収納した物品の脱落を防ぐことができる。
【図面の簡単な説明】
【図１】本発明に係るネクタイの一実施例を示す要部概略図である。
【図２】本発明に係るネクタイの他の実施例を示す要部概略図である。
【図３】本発明に係るネクタイの更に他の実施例を示す要部概略図である。
【図４】本発明に係るネクタイの更に他の実施例を示す要部概略図である。
【符号の説明】
１…ネクタイ、２…保持部材、２ａ…軸体部、２ｂ，２ｃ…鍔状部、２ｄ…貫通孔、３…携帯物（ＩＤカード，携帯電話）、４…ストラップ、５…ポケット、５ａ…ポケット延長片、５ｂ…ループ状紐、６…ピン、６ａ…ピン固定具。
【図１】
2004169190.tif 000003
【図２】
2004169190.tif 000004
【図３】
2004169190.tif 000005
【図４】
2004169190.tif 000006